(57)【要約】  電気照明デバイス等の携帯用電気デバイス（１０）は電気デバイスから充電チャネル（例えば、充電ポート）を介して接続された別個の電気デバイスに電力を向けるように構成された充電チャネル（２０）を備える。充電チャネルが使用されない間、電気デバイスは第一の出力電力レベル（例えば、第一の輝度）で出力（例えば、照明出力）を生成する。電気デバイスはまた充電チャネルを監視するように構成されたオンボードコントローラを備え、充電チャネルを介して接続された電気デバイスを検出するとオンボードコントローラは電力を保存するために出力電力を第二の出力電力レベル（例えば、第二の輝度）に減少させる。【選択図】図１
2021520030.tif 000002
【特許請求の範囲】
【請求項１】
携帯用電気デバイスであって、
電源と、
最小出力電力と最大出力電力の間の出力電力を生成するように構成された出力デバイスと、
前記電源から別個の電気デバイスに電流を伝送するように構成された充電チャネルと、
前記充電チャネルを介して接続された別個の電気デバイスを検出すると前記出力デバイスの前記最大出力電力を減少させるように構成されたオンボードコントローラと、
を備える、携帯用電気デバイス。
【請求項２】
前記出力デバイスは最小輝度と最大輝度の間の輝度を有する光出力を生成するように構成された照明デバイスであり、前記オンボードコントローラは前記充電チャネルを介して接続された別個の電子デバイスの存在を検出すると最大出力輝度を減少させるように構成される、請求項１に記載の携帯用電気デバイス。
【請求項３】
前記充電チャネルは前記別個の電子デバイスと電気的に接続された充電ケーブルに対応するように構成された充電ポートを備える、請求項１に記載の携帯用電気デバイス。
【請求項４】
前記出力デバイスは第一の出力電力で出力を生成するように構成され、
前記オンボードコントローラは
前記充電チャネルを介して接続された別個の電気デバイスを検出し、
前記出力デバイスにより生成される前記出力の前記出力電力を前記第一の出力電力よりも小さい第二の出力電力に調整する
ように構成される、
請求項１に記載の携帯用電気デバイス。
【請求項５】
前記出力デバイスは少なくとも最小出力電力レベルおよび最大出力電力レベルを備える複数の別個の出力電力レベルのうち一つで出力を生成するように構成される、請求項１に記載の携帯用電気デバイス。
【請求項６】
前記オンボードコントローラは前記充電チャネルを介して接続された別個の電子デバイスを検出すると前記最大出力電力レベルを停止させるように構成される、請求項５に記載の携帯用電気デバイス。
【請求項７】
前記出力デバイスの前記最大出力電力を減少させることは前記出力の前記出力電力を第一の別個の出力電力レベルから第二の別個の出力電力レベルに減少させることを含む、請求項５に記載の携帯用電気デバイス。
【請求項８】
前記オンボードコントローラは
第一の最小出力電力レベルおよび第一の最大出力電力レベルを定義する第一の出力プロファイルであって、前記オンボードコントローラは前記第一の出力プロファイルを実施するように構成される一方で別個の電気デバイスが前記充電チャネルを介して接続されたことが検出されない、第一の出力プロファイルと、
第二の最小出力電力レベルおよび第二の最大出力電力レベルを定義する第二の出力プロファイルであって、前記オンボードコントローラは前記充電チャネルを介して接続された別個の電気デバイスを検出すると前記第二の出力プロファイルを実施するように構成され、前記第二の最大出力電力レベルは前記第一の最大出力電力レベルよりも小さい、第二の出力プロファイルと、
を備える少なくとも二つの出力プロファイルを備える、請求項１に記載の携帯用電気デバイス。
【請求項９】
前記電源は一または二以上のオンボードバッテリーを備える、請求項１に記載の携帯用電気デバイス。
【請求項１０】
携帯用電気デバイスの出力を制御するように構成された電気デバイスコントローラであって、前記電気デバイスコントローラは
出力デバイスに最小出力電力と最大出力電力の間の出力電力を有する出力を生成させるために電気デバイスの電源から前記電気デバイスの出力デバイスに電力を伝送し、
別個の電気デバイスが充電チャネルを介して前記電気デバイスに接続されたかどうかを決定するために前記電気デバイスの充電チャネルを監視し、
前記充電チャネルを介して接続された別個の電気デバイスを検出すると前記出力デバイスの最大出力電力レベルを減少させる
ように構成される、電気デバイスコントローラ。
【請求項１１】
前記出力デバイスは最小輝度と最大輝度の間の輝度を有する光出力を生成するように構成された照明デバイスであり、
前記電気デバイスコントローラは前記充電チャネルを介して接続された別個の電子デバイスの存在を検出すると最大出力輝度を減少させるように構成される、
請求項１０に記載の電気デバイスコントローラ。
【請求項１２】
前記出力デバイスが第一の出力電力で出力を生成している間に前記充電チャネルを介して接続された電気デバイスを検出し、
前記出力の前記出力電力を前記第一の出力電力よりも小さい第二の出力電力に減少させるために前記電源から前記出力デバイスに伝送される前記電力を調整する、
ようにさらに構成される、請求項１０に記載の電気デバイスコントローラ。
【請求項１３】
前記電源から前記出力デバイスに前記電力を伝送することは
前記電力を複数の別個の出力電力レベルのうち一つに抑制することであって、前記複数の別個の出力電力レベルは少なくとも最小出力電力レベルおよび最大出力電力レベルを備える、抑制すること、
を含む、請求項１０に記載の電気デバイスコントローラ。
【請求項１４】
前記充電チャネルを介して接続された別個の電気デバイスを検出すると最大電力レベルを停止させるようにさらに構成される、請求項１３に記載の電気デバイスコントローラ。
【請求項１５】
選択的に少なくとも二つの出力プロファイルを実施するようにさらに構成され、前記少なくとも二つの出力プロファイルは
第一の最小出力電力レベルおよび第一の最大出力電力レベルを定義する第一の出力プロファイルであって、前記電気デバイスコントローラは前記第一の出力プロファイルを実施するように構成される一方で別個の電気デバイスが前記充電チャネルを介して接続されたことが検出されない、第一の出力プロファイルと、
第二の最小出力電力レベルおよび第二の最大出力電力レベルを定義する第二の出力プロファイルであって、前記電気デバイスコントローラは前記充電チャネルを介して接続された別個の電気デバイスを検出すると前記第二の出力プロファイルを実施するように構成され、前記第二の最大出力電力レベルは前記第一の最大出力電力レベルよりも小さい、第二の出力プロファイルと、
を備える、請求項１０に記載の電気デバイスコントローラ。
【請求項１６】
電気デバイスを動作させるための方法であって、
出力デバイスに最小出力電力レベルと最大出力電力レベルの間の電力レベルを有する出力を生成させるために前記電気デバイスの電源から前記電気デバイスの出力デバイスに電力を伝送することと、
別個の電気デバイスが充電チャネルを介して前記電気デバイスに接続されたかどうかを決定するために前記電気デバイスの充電チャネルを監視することと、
前記充電チャネルを介して接続された別個の電気デバイスを検出すると前記出力デバイスの前記最大出力電力レベルを減少させることと、
を含む、電気デバイスを動作させるための方法。
【請求項１７】
前記出力デバイスは最小輝度と最大輝度との間の輝度を有する光出力を生成するように構成された照明デバイスであり、前記方法は前記充電チャネルを介して接続された別個の電気デバイスの存在を検出すると最大出力輝度を減少させるためのステップをさらに含む、請求項１６に記載の電気デバイスを動作させるための方法。
【請求項１８】
前記出力デバイスが第一の出力電力レベルで出力を生成している間に前記充電チャネルを介して接続された電気デバイスを検出することと、
前記出力の前記電力レベルを前記第一の出力電力レベルよりも小さい第二の出力電力レベルに減少させるために前記電源から前記出力デバイスに伝送される前記電力を調整することと、
をさらに含む、請求項１６に記載の電気デバイスを動作させるための方法。
【請求項１９】
前記電力を前記電源から前記出力デバイスに伝送することは前記電力を複数の別個の出力電力レベルのうち一つに抑制することを含み、前記複数の別個の出力電力レベルは少なくとも最小出力電力レベルおよび最大出力電力レベルを備える、
請求項１６に記載の電気デバイスを動作させるための方法。
【請求項２０】
別個の電気デバイスが前記充電チャネルを介して接続されたことが検出されない間に第一の出力プロファイルに従って前記電力を前記電源から前記出力デバイスに伝送することであって、前記第一の出力プロファイルは第一の最小出力電力レベルおよび第一の最大出力電力レベルを定義する、伝送することと、
前記充電チャネルを介して別個の電気デバイスが接続されたことを検出すると、第二の出力プロファイルに従って前記電力を前記電源から前記出力デバイスに伝送することであって、前記第二の出力プロファイルは第二の最小出力電力レベルおよび第二の最大出力電力レベルを定義し、前記第二の最大出力電力レベルは前記第一の最大出力電力レベルよりも小さい、伝送することと、
をさらに含む、請求項１６に記載の電気デバイスを動作させるための方法。
【発明の詳細な説明】
【技術分野】
【０００１】
本発明は、携帯用電気デバイスに関する。
【背景技術】
【０００２】
携帯用電子デバイスがますます普及しつつあるため、消費者はこれらの携帯用電子デバイスを再充電するために活用され得る新たな電力源を常に探している。例えば、懐中電灯、ランタン、ラジオ、スピーカー（例えば、Ｂｌｕｅｔｏｏｔｈ（登録商標）接続スピーカー）等の他の携帯用電気デバイスのオンボード電源（例えば、バッテリー）は、別個の（ｓｅｐａｒａｔｅ）電子デバイスを電気デバイスの充電チャネル（例えば、充電ポート）に接続することにより接続された別個の電子デバイス（例えば、携帯電話）の再充電可能な電源を充電するために活用され得る。充電ポートを所定の電気デバイスに組み入れることは他の電源（例えば、壁コンセント）が利用できないところでしばしば電気デバイスを活用する消費者にとって非常に有益であり得る。例えば、キャンパー、ハイカー、および他の野外活動愛好家はしばしば送電網ベースの電源から遠く離れて様々なデバイス（例えば、携帯電話および／またはキャンプ用ランタン）を活用することがあり、したがってこれらのユーザは所定の電子デバイスを再充電するために活用され得る予備の電源を探し求め得る。しかしながら、これらの電気デバイスのオンボード電源は電流の形態で有限量の電力のみを出力することのできる有限の電力容量を有し、したがってこれらのデバイスのユーザは（例えば、懐中電灯、スピーカー等としての）彼らの主要な目的のため、または他の接続されたデバイスを再充電するための電源として、これらの予備電源をどのように使用するかを決めなければならない。
【０００３】
したがって、ユーザが他の目的のために電気デバイスの機能性を著しく低減させることなく他のデバイスを再充電することを可能にする電気デバイスの機能の必要性が存在する。
【発明の概要】
【０００４】
様々な実施形態は別個の電気デバイス（例えば、携帯電話、手持ち式コンピューティングデバイス等）を充電するために使用され得る統合デバイス充電チャネルポートを有する携帯用電気デバイス（例えば、懐中電灯、ランタン等）に関する。電気デバイスは電力を出力デバイス（例えば、統合照明デバイス）および統合デバイス充電チャネルポートに提供するように構成されたオンボード電源（例えば、一または二以上のバッテリー）を有し得る。電気デバイスは電気デバイスの電力使用量を監視し、オンボード電源から出力デバイスおよび／または統合デバイス充電チャネルポートのうち一方までの電力の流れを自動的に抑制し、および／または方向を変えるように構成されたオンボードコントローラを有し得る。例えば、統合デバイス充電チャネルポートを介して接続された外部デバイスを検出すると、コントローラは接続されたデバイスを充電するために活用される電気エネルギーを保存するために出力デバイス（例えば、照明デバイス）に提供される電力量を減少させ得る。
【０００５】
所定の実施形態は、電源、最小出力電力と最大出力電力の間の出力電力を生成するように構成された出力デバイス、電源から別個の電気デバイスに電流を伝送するように構成された充電チャネル、および充電チャネルを介して接続された別個の電気デバイスを検出すると出力デバイスの最大出力電力を減少させるように構成されたオンボードコントローラを備える携帯用電気デバイスに関する。
【０００６】
所定の実施形態では、携帯用電気デバイスの出力デバイスは最小輝度と最大輝度の間の輝度を有する光出力を生成するように構成された照明デバイスであり、オンボードコントローラは充電チャネルを介して接続された別個の電子デバイスの存在を検出すると最大出力輝度を減少させるように構成される。さらに、充電チャネルは別個の電子デバイスと電気的に接続された充電ケーブルに対応するように構成された充電ポートを備え得る。
【０００７】
所定の実施形態では、出力デバイスは第一の出力電力で出力を生成するように構成され、オンボードコントローラは充電チャネルを介して接続された別個の電気デバイスを検出し、出力デバイスにより生成される出力の出力電力を第一の出力電力よりも小さい第二の出力電力に調整するように構成される。さらに、出力デバイスは少なくとも最小出力電力レベルおよび最大出力電力レベルを備える複数の別個の出力電力レベルのうち一つで出力を生成するように構成され得る。オンボードコントローラは充電チャネルを介して接続された別個の電子デバイスを検出すると最大出力電力レベルを停止させるように構成され得る。様々な実施形態では、出力デバイスの最大出力電力を減少させることは出力の出力電力を第一の別個の出力電力レベルから第二の別個の出力電力レベルに減少させることを含む。
【０００８】
所定の実施形態では、オンボードコントローラは、第一の最小出力電力レベルおよび第一の最大出力電力レベルを定義する第一の出力プロファイルであって、オンボードコントローラは第一の出力プロファイルを実施するように構成される一方で別個の電気デバイスが充電チャネルを介して接続されたことが検出されない、第一の出力プロファイルと、第二の最小出力電力レベルおよび第二の最大出力電力レベルを定義する第二の出力プロファイルであって、オンボードコントローラは充電チャネルを介して接続された別個の電気デバイスを検出すると第二の出力プロファイルを実施するように構成され、第二の最大出力電力レベルは第一の最大出力電力レベルよりも小さい、第二の出力プロファイルと、を備える、少なくとも二つの出力プロファイルを備える。さらに、電源は一または二以上のオンボードバッテリーを備え得る。
【０００９】
様々な実施形態は携帯用電気デバイスの出力を制御するように構成された電気デバイスコントローラに関する。様々な実施形態では、電気デバイスコントローラは、出力デバイスに最小出力電力と最大出力電力の間の出力電力を有する出力を生成させるために電気デバイスの電源から電気デバイスの出力デバイスに電力を伝送し、別個の電気デバイスが充電チャネルを介して電気デバイスに接続されたかどうかを決定するために電気デバイスの充電チャネルを監視し、充電チャネルを介して接続された別個の電気デバイスを検出すると出力デバイスの最大出力電力レベルを減少させるように構成される。
【００１０】
所定の実施形態では、出力デバイスは最小輝度と最大輝度の間の輝度を有する光出力を生成するように構成された照明デバイスであり、電気デバイスコントローラは充電チャネルを介して接続された別個の電子デバイスの存在を検出すると最大出力輝度を減少させるように構成される。さらに、電気デバイスコントローラは、出力デバイスが第一の出力電力で出力を生成している間に充電チャネルを介して接続された電気デバイスを検出し、出力の出力電力を第一の出力電力よりも小さい第二の出力電力に減少させるために電源から出力デバイスに伝送される電力を調整するようにさらに構成され得る。所定の実施形態では、電源から出力デバイスに電力を伝送することは、電力を複数の別個の出力電力レベルのうち一つに抑制することであって、複数の別個の出力電力レベルは少なくとも最小出力電力レベルおよび最大出力電力レベルを備える、抑制することを含む。さらに、電気デバイスコントローラは充電チャネルを介して接続された別個の電気デバイスを検出すると最大電力レベルを停止するようにさらに構成され得る。様々な実施形態では、電気デバイスコントローラは選択的に少なくとも二つの出力プロファイルを実施するためにさらに構成され、少なくとも二つの出力プロファイルは、第一の最小出力電力レベルおよび第一の最大出力電力レベルを定義する第一の出力プロファイルであって、電気デバイスコントローラは第一の出力プロファイルを実施するように構成される一方で別個の電気デバイスが充電チャネルを介して接続されたことが検出されない、第一の出力プロファイルと、第二の最小出力電力レベルおよび第二の最大出力電力レベルを定義する第二の出力プロファイルであって、電気デバイスコントローラは充電チャネルを介して接続された別個の電気デバイスを検出すると第二の出力プロファイルを実施するように構成され、第二の最大出力電力レベルは第一の最大出力電力レベルよりも小さい、第二の出力プロファイルと、を備える。
【００１１】
様々な実施形態は電気デバイスを動作させるための方法に関する。本方法は、出力デバイスに最小出力電力レベルと最大出力電力レベルの間の出力レベルを有する出力を生成させるために電気デバイスの電源から電気デバイスの出力デバイスに電力を伝送すること、別個の電気デバイスが充電チャネルを介して電気デバイスに接続されたかどうかを決定するために電気デバイスの充電チャネルを監視すること、および充電チャネルを介して接続された別個の電気デバイスを検出すると出力デバイスの最大出力電力レベルを減少させることを含み得る。
【００１２】
様々な実施形態では、出力デバイスは最小輝度と最大輝度の間の輝度を有する光出力を生成するように構成された照明デバイスであり、本方法は充電チャネルを介して接続された別個の電気デバイスの存在を検出すると最大出力輝度を減少させるためのステップをさらに含む。さらに、本方法は出力デバイスが第一の出力電力レベルで出力を生成している間に充電チャネルを介して接続された電気デバイスを検出すること、および出力の電力レベルを第一の出力電力レベルよりも小さい第二の出力電力レベルに減少させるために電源から出力デバイスに伝送される電力を調整することをさらに含み得る。
【００１３】
所定の実施形態では、電源から出力デバイスに電力を伝送することは電力を複数の別個の出力電力レベルのうち一つに抑制することを含み、複数の別個の出力電力レベルは少なくとも最小出力電力レベルおよび最大出力電力レベルを備える。さらに、本方法は、別個の電気デバイスが充電チャネルを介して接続されたことが検出されない間に第一の出力プロファイルに従って電源から出力デバイスに電力を伝送することであって、第一の出力プロファイルは第一の最小出力電力レベルおよび第一の最大出力電力レベルを定義する、伝送すること、および別個の電気デバイスが充電チャネルを介して接続されたことを検出すると、第二の出力プロファイルに従って電源から出力デバイスに電力を伝送することであって、第二の出力プロファイルは第二の最小出力電力レベルおよび第二の最大出力電力レベルを定義し、第二の最大出力電力レベルは第一の最大出力電力レベルよりも小さい、伝送することをさらに含み得る。
【００１４】
ここで添付図面を参照するが、必ずしも正しい縮尺で描かれていない。
【図面の簡単な説明】
【００１５】
【図１】一実施形態により照明デバイスとして実施される電気デバイスの一例を示す。
【図２】一実施形態による照明デバイスの一例の様々な電気部品の概略図を示す。
【図３】一実施形態による照明デバイスの一例の機能性を例示するフローチャートである。
【発明を実施するための形態】
【００１６】
本開示は添付図面を参照して様々な実施形態をより完全に説明する。本明細書においていくつかの実施形態が示され、説明されるが、全てではないことを理解されるべきである。実際、実施形態は多くの異なる形態をとる可能性があり、したがって本開示は本明細書に明記される実施形態に限定されるものと解釈されるべきでない。むしろ、これらの実施形態は本開示が適用される法律の要件を満たすように提供される。全体を通して同様の番号は同様の要素を指す。
【００１７】
本明細書に記載の実施形態は電流を伝送するための予備電源として活用され得る電気デバイス（例えば、照明デバイス）に組み入れられた電源を一または二以上の別個の電気デバイス（例えば、携帯電話、タブレット、携帯用コンピュータ、懐中電灯、ファン、スピーカー、ケーブル等）に組み入れ得る。所定の実施形態では、一つの電気デバイスから別の電気デバイスに電流を伝送するために、電気デバイスは互いに対して接続され得る（例えば、携帯電話は予備電源として活用される携帯用電気デバイスに接続され得る電気ケーブルを用いて接続され得る）。したがって、ユーザにそうでなければ送電網から遠く離れた遠出の間に使用されることになるデバイス以外の追加のデバイスを運ぶことを要求することなく、ユーザは対応するオンボード電源を有する電気デバイスを充電（および／または再充電）するために活用され得る予備電源の機能性が提供される。
【００１８】
本明細書で論じられるように、充電チャネル（例えば、充電ポート）は予備電源を提供すること以外の他の機能性を有する携帯用電気デバイスに組み入れられる。例えば、携帯用電気デバイスは、照明デバイスから発せられた光、スピーカーから発せられた音声等の、一または二以上の出力（例えば、光信号、音声信号、電波信号等）を生成するように構成された一または二以上の出力デバイスを備え得る。携帯用電気デバイスの電力を保存するため、ならびに電源としての、および別の出力機能（例えば、光信号等の出力の生成）の電気デバイスの有用性のバランスをとるため、電気デバイスは、別個の電気デバイスが充電チャネルを介して接続されたことが検出される間に各出力を生成するための出力デバイスのうち一または二以上により活用される電力の流れ（例えば、電流）を制限するように構成されたオンボードコントローラを有し得る。オンボードコントローラは充電チャネルを監視し、（例えば、物理スイッチおよび／または電気信号スイッチのトリガイベントの検出を介して）そこに接続された別個の電気デバイスを検出すると、出力を生成するための出力デバイスに伝送される電力を減少させる。例えば、統合充電ポートを有するキャンプ用ランタン内部のオンボードコントローラは別個の電気デバイス（例えば、携帯電話に接続され得る充電ケーブル）が統合充電ポートに接続されている間はキャンプ用ランタンにより発せられる光を調光するように構成され得る。さらに別の例では、統合充電ポートを有するスピーカー内部のオンボードコントローラは別個の電気デバイスが統合充電ポートに接続されている間はスピーカーの出力ボリュームを低くするように構成され得る。
【００１９】
携帯用電気デバイス
携帯用電気デバイス１０の一例が図１に示されている。そこに示されるように、携帯用電気デバイス１０は光出力を発するように構成された携帯用電気ランタンとして実施されてもよく、ハウジング１１内部に位置する様々な電気部品を有する。しかしながら、携帯用電気デバイス１０は懐中電灯、スピーカー、ラジオ、ディスプレイデバイス、ファン、ヒーター、加湿器、除湿器、または電源（例えば、オンボード電源）を含み得る様々な電気デバイスのいずれかとして実施され得ることを理解されるべきである。
【００２０】
図１の実施形態を再び参照すると、ハウジング１１はレンズ部１２および統合ハンドル１３を包含する。レンズ部１２は、レンズ部１２内部に設置された光源１５により生成される光がユーザにより識別可能なレンズ部１２を通じて発せられることを可能にするために透明または半透明であり得る。さらに、光源１５は同時照明および／または別の照明のように構成され得る一または二以上の発光体（例えば、発光ダイオード（ＬＥＤ））を備えてもよく、それにより複数の別の照明モードを提供する。固有の例として、光源１５は比較的低レベルの赤色光を提供するように構成された赤色ＬＥＤおよび比較的高レベルの白色光を提供するように構成された一または二以上の白色ＬＥＤを備え得る。所定の実施形態では、携帯用電気ランタンは第一の照明モード（例えば、赤色光モード）を介して赤色ＬＥＤを、または選択的に第二の照明モード（例えば、白色光モード）を介して一または二以上の白色ＬＥＤ（例えば、複数の白色ＬＥＤ）を起動させるように構成され得る。
【００２１】
図１に示されるように、携帯用電気デバイス１０は携帯用電気デバイス１０の複数の使用状態から選択するためにユーザ入力を受け取るように構成された（例示される実施形態では電力スイッチ１６として実施される）ユーザインタフェースを備える。ユーザインタフェースは一または二以上のボタン、一または二以上のスライダ、一または二以上のスイッチ、一または二以上のインタフェースホイール、一または二以上の容量センサ等を備え得る。様々な実施形態では、ユーザインタフェースはユーザが「オン」状態（例えば、選択不可能な電力レベルでの単一の「オン」状態）と「オフ」状態との間で選択することを可能にする。所定の実施形態では、ユーザインタフェースは様々な出力モード（例えば、赤色光モードまたは白色光モード）および／または様々な出力電力レベル（例えば、例示されるランタンの光源１５により発せられる様々な輝度レベル）に対応する複数の「オン」状態の間の選択を可能にする。単一のボタンユーザインタフェースはユーザが「オフ」状態とボタンが逐次的に起動する様々な「オン」状態との間を循環することを可能にする。例えば、光を第一の照明モード（例えば、赤色光モード）にオンするためにボタンを一回押すこと、光を第一の輝度レベルで第二の照明モード（例えば、白色光モード）に変化させるためにボタンをもう一度押すこと、および光を第二の照明モードの範囲内の第二の輝度レベルに変化させるためにボタンを三回目に押すこと、そして光をオフ状態に戻して循環させるためにボタンをさらにもう一度押すことである。他の例示的な実施形態は単一の照明モードのみを備え、したがってユーザインタフェースボタンを複数回押すことにより単一の照明モードの範囲内（例えば、白色光モードの範囲内）で様々な輝度レベルを通じて光を循環させ得る。
【００２２】
さらに、図１に示されるように、携帯用電気デバイス１０は携帯用電気デバイス１０から充電チャネルを介して接続された（図２に概略的に示される）別個の電気デバイス５０に電力を提供するように構成された少なくとも一つの充電チャネルを備える。図１の例示される実施形態では、充電チャネルは電気デバイス５０（例えば、充電／データケーブル、オンボードを備える電気デバイス、再充電可能電源等）に対応するように構成された充電ポート２０（例えば、ＵＳＢポート、マイクロＵＳＢポート、ミニＵＳＢポート、照明充電ポート等）として実施されている。しかしながら、充電チャネルは無線誘導充電インタフェース、磁力ポート、二又電源コンセント等の様々な電力通信インタフェースのいずれかとしても実施され得る。
【００２３】
図２に概略的に示されるように、携帯用電気デバイス１０は電源１４を備え、電源１４は一または二以上のバッテリー（例えば、（携帯用電気デバイス１０または交換可能な二次バッテリーの内部に統合された）交換可能な一次バッテリーまたは再充電可能な二次バッテリー）または他の電気ストレージデバイスを備えるオンボード電源として実施され得る。例えば、図１に示されるようなランタンとして実施される携帯用照明デバイス１０は４Ｄセルバッテリーとして実施されるオンボード電源を備えてもよく、ランタンは少なくとも約１０００ルーメンの光出力を生成することができてもよい。さらに別の例では、電源１４は一または二以上の（例えば、外部の連続的な電源に接続可能な）電力コンバータ等を備え得る。
【００２４】
電源１４はコントローラ１７を介して出力を生成するように構成された出力デバイス（例えば、光出力を生成するように構成された照明デバイス１５）および少なくとも一つの充電チャネル（例えば、充電チャネルポート２０）に電力を提供する。所定の実施形態では、コントローラ１７は電力の流れ（例えば、電流）を電源１４から出力デバイスおよび／または少なくとも一つの充電チャネルに向けるように構成された集積回路として実施される。コントローラ１７はユーザにより望まれるような出力電力レベルを有する出力を提供するためにユーザが提供する入力に従って電力を電源１４から携帯用電気デバイス出力に向けるためにユーザインタフェース１６と通信する。
【００２５】
コントローラ１７は携帯用電気デバイス１０から充電のために別個の電気デバイス５０がいつ接続されたかを検出するための充電チャネルを備えるフィードバックループも形成する。充電チャネルが充電チャネルポート２０として実施される実施形態では、充電チャネルポート２０は携帯用電気デバイス１０が充電チャネルポート２０にいつ接続されたかを検出するための存在センサを備え得る。例えば、充電チャネルポート２０は充電チャネルポート２０と電気的に接続している別個の電気デバイス５０の存在を示すために接続された別個の電気デバイス５０を検出すると信号をオンボードコントローラ１７に伝送する存在感知ピンを備え得る。充電チャネルポート２０の一つの特定の実施形態は５ピンＵＳＢコネクタである。さらに他の例では、充電チャネルは別個の電気デバイス５０の存在を検出するための機械スイッチ（例えば、充電チャネルを介して接続されるケーブル）、磁気スイッチ、接続された別個の電気デバイス５０に向かって充電チャネルを横切って描かれる電流を検出するための電流センサ等を備え得る。
【００２６】
オンボードコントローラ１７は出力デバイス（例えば、照明デバイス１５）を介して出力を生成するため、および充電チャネルを介して別個の電気デバイス５０を充電するために携帯用電気デバイス１０により拡張される電力を制御するように構成される。所定の実施形態では、オンボードコントローラ１７は出力デバイス（例えば、照明デバイス１５）に供給される電力を（例えば、出力デバイスに提供される許容された最大定電流を減少させること、パルス幅変調を介して出力デバイスに提供される電力パルスの幅を減少させること等により）抑制するように構成されてもよく、それにより充電チャネルを介して別個の電気デバイス５０が接続されたことが検出されると出力デバイスにより発せられる出力電力レベルが減少する。例えば、オンボードコントローラ１７は別個の電気デバイス５０が充電チャネルに接続されていない間に実施される最大定電流レベルよりも低い出力デバイスに提供される最大定電流レベルを実施するように構成されてもよく、それにより出力デバイスにより生成される出力電力レベルが減少する（例えば、照明デバイス１５により発せられる出力光を低減する）。さらに別の例では、オンボードコントローラ１７は充電チャネルを介して別個の電気デバイス５０が接続されていない場合に提供される電力インターバルの長さと比較してより短い電力インターバルで出力デバイスにパルス幅変調電流パルスを提供するように構成されてもよく、それにより出力デバイスにより生成される出力電力レベルが減少する。具体的には、充電チャネルを介して別個の電気デバイス５０が接続されたことを検出すると、オンボードコントローラ１７は電気的接続が充電チャネルを介して別個の電気デバイス５０を用いて形成された時に出力デバイスがアクティブである場合に出力デバイスに提供される電力を減少させ、および／またはオンボードコントローラ１７はオンボード出力デバイス（例えば、照明デバイス１５）に利用可能な最大出力電力レベルを減少させる。図３は一実施形態によりランタンとして実施される携帯用電気デバイス１０の例示的な機能性を示すフローチャートを提供する。所定の実施形態では、オンボードコントローラ１７は出力デバイスが動作の複数のモードのうち動作の特定のモードでアクティブである場合に出力デバイスに提供される電力を減少させるように構成される。例えば、携帯用電気デバイス１０が（例えば、アクティブな時に第一の赤色光モードの動作を提供する）赤色ＬＥＤおよび（例えば、アクティブな時に第二の白色光モードの動作を提供する）一または二以上の白色ＬＥＤを備える照明デバイスとして実施される実施形態では、オンボードコントローラ１７は携帯用電気デバイス１０が第二の白色光モードの動作でアクティブである場合に出力を調光するように構成され得る。第一の赤色光モードの動作はそれ自体が赤色ＬＥＤの調光が少なくとも一つの充電チャネルに利用可能な電力の量への影響を与えない（例えば、調光後に第二の白色光モードの動作よりも小さい）著しく低い電流引き込みを提供し得る。
【００２７】
図３に示されるように、携帯用電気デバイス１０はブロック３１に示されるような照明デバイスの電源を入れるユーザ入力を受信し得る。ユーザ入力は所望のモードの動作および／または最小と最大の電力／輝度／出力電力ベルの間の所望の電力／輝度／出力電力レベルを選択してもよく（例えば、複数の別個の出力電力レベルオプションのうち一つを選択すること、最小出力電力レベルと最大出力電力レベルの間の無限に調整可能な範囲の利用可能な出力電力レベルの範囲内の出力電力レベルを選択すること、または単一の利用可能な「オン」電力レベルを選択すること）、コントローラ１７はブロック３２で識別されるような選択された電力レベルに従って第一の輝度レベル（第一の照明出力電力レベル）で光を発するために電流を電源１４から照明デバイス１５に向ける。コントローラ１７はまた別個の電気デバイス５０が充電のために接続されたかどうか／いつされたかを検出するために充電チャネルを監視する。（ブロック３３に示されるように）照明デバイスがアクティブな間に充電チャネルを介した別個の電気デバイス５０との接続（例えば、物理的接続、電気的接続等）の形成を検出すると、ブロック３４に示されるようにコントローラは発せられる輝度レベルを第二の輝度レベル（第二の照明出力電力レベル）に減少させるために照明デバイス１５に伝送される電力の流れを調整する。輝度レベルの調整はユーザインタフェース１６とのユーザインタラクション無しになされ得る。言及されるように、電力出力におけるこのような調整は照明デバイスが動作の複数のモードのうち一つでアクティブな間になされてもよく、一方で照明出力レベルは照明デバイスが動作の複数のモードのうち第二の一つでアクティブな間は（例えば、調整無しに）少なくとも実質的に一定のままであってもよい。
【００２８】
コントローラ１７は少なくとも一つの充電チャネルを監視し続けてもよく、（ブロック３５に示されるように）照明デバイス１５がアクティブな間に別個の電気デバイス５０の取外し（例えば、充電チャネルからの別個の電気デバイス５０の切断）を検出すると、ブロック３６に示されるように、コントローラ１７は輝度レベルを（例えば、第一の輝度／照明出力電力レベルに、第一の輝度／照明出力レベルと第二の輝度／照明出力電力レベルの間の第三の輝度／照明出力電力レベルに）増加させるために照明デバイス１５に提供される電力を増加させ得る。ほんの一例として、コントローラ１７は輝度レベルを外部電気デバイスが接続されている間に提供される調光された輝度レベルよりも大きいものの、外部電気デバイスの接続前に発せられる第一の輝度レベルよりも小さい（薄暗い）第三の輝度レベルに増加させるために照明デバイス１５に提供される電力を増加させ得る。固有の例として、コントローラ１７は輝度レベルをユーザが選択可能な「低い」輝度レベルに増加させるために照明デバイス１５に提供される電力を増加させ得る。コントローラ１７はユーザインタフェースを介してより明るい、ユーザが選択可能な「高い」輝度レベルに戻すためのオプションをユーザに提供し得る。
【００２９】
例として、コントローラ１７は照明デバイス１５の輝度を５０％よりも大きい量、例えば（調光後に発せられる輝度が調光前に発せられる輝度の約１％−１０％の間であるように）充電チャネルに別個の電気デバイス５０が接続されていない間に発せられる第一の輝度レベルに対して約９０％−９９％の間の量だけ減少させ得る。照明デバイス１５により発せられる輝度を減少させることで接続された別個の電気デバイス５０の充電に使用される電源からの電力を保存し、一方で同時に照明デバイスの時間を延長することで電源１４に格納される電力に基づいて光を発することができる。
【００３０】
所定の実施形態では、コントローラ１７は充電チャネルに接続された別個の電気デバイス５０を検出すると照明デバイス１５により発せられ得る最大利用可能輝度レベル（例えば、最大出力電力レベル）を減少させ得る。コントローラ１７は別個の電気デバイス５０との接続が形成される時に照明デバイス１５が電源を入れられるかどうかに関係なくこの輝度最大を実施し得る。しかしながら、別個の電気デバイス５０が充電チャネルを介して接続されたままである間に照明デバイス１５の後に起動すると（例えば、ユーザインタフェースに提供されるユーザ入力に応答して）コントローラ１７は実施された最大レベルに従って照明デバイス１５に提供される電力の量を制限し、それにより別個の電気デバイス５０が充電チャネルに接続されたままである間に照明デバイス１５により発せられ得る最大輝度レベルを制限する。
【００３１】
言及されるように、携帯用電気デバイス１０は照明デバイス１５の起動の際にユーザが所望の輝度レベルを選択することを可能にする。このような実施形態では、コントローラ１７は充電チャネルを介して接続された別個の電気デバイス５０の存在を検出するとユーザがコントローラ１７により定められる最小輝度レベル（例えば、「オフ」状態）と最大輝度レベルの間の輝度レベルを選択することを可能にしながら、ユーザインタフェース１６を介してユーザが利用可能な最大輝度レベルを調整するように構成され得る。所定の実施形態では、コントローラ１７は他の輝度レベルオプションが変更されないままである間、最大輝度レベルを上回る任意の輝度レベルを停止させ得る。例えば、携帯用電気デバイス１０が、ユーザが複数の別個の輝度レベルの間で選択することを可能にする実施形態では、最大輝度レベルを上回っているこれらの輝度レベルはコントローラ１７により無効にされ得る。他の実施形態では、コントローラ１７はユーザに利用可能に作成される様々な輝度レベルオプションで発せられる輝度レベルを調整し得る。例えば、コントローラ１７はユーザに利用可能な各輝度レベルオプションで発せられる輝度レベルを部分的に調整し得る（例えば、各輝度レベルはパーセンテージで減少され得る）。さらに別の例では、コントローラ１７は電気デバイスが接続されている間に発せられる輝度をユーザ選択可能な輝度レベルのいずれかよりも小さい最大輝度レベルに制限し得る。
【００３２】
別個の電気デバイス５０が充電チャネルを介して接続されている間に携帯用電気デバイス１０の出力デバイスに提供される電力レベルを減少させることにより、携帯用電気デバイス１０は接続された別個の電気デバイス５０の充電のために（例えば、オンボード電源１４を介して格納された）利用可能な電力のより大きなパーセンテージを割り当て、同時に携帯用電気デバイス１０の出力デバイスがオンボード電源１４により提供される電力に基づいて動作可能な時間を増加させる。
【００３３】
一例として、４Ｄサイズバッテリーを備える電源１４の場合、コントローラ１７は電気デバイス５０が充電チャネルに接続されている間は約０．７Ａ−５Ａの間の電流を充電チャネルに向け、また約２５−３５ｍＡの間の電流を出力デバイス１５に向けるように構成され得る。利用可能な電流の総量、したがって充電チャネルに向けられる電流の総量は電源１４内部に提供されるバッテリーのタイプに依存し得る。例えば、アルカリＤサイズバッテリーの場合、充電チャネルに向けられる電流の量は約０．５−２Ａ（例えば、約７００−９００ｍＡの間）であり得る。
【００３４】
結言
多くの修正および他の実施形態が、本開示が関連する前述の詳細な説明および関連する図面において示される教示の利益を有する当該技術分野の当業者には思い浮かぶであろう。したがって、本開示は開示される固有の実施形態に限定されないこと、ならびに修正および他の実施形態は添付の特許請求の範囲の範囲内に含まれると意図されることを理解されたい。本明細書で固有の用語が用いられているが、これらは包括的かつ記述的な意味でのみ使用されるものであり、限定する目的のためではない。
【００３５】
前述のように、携帯用電気デバイス１０は照明デバイス、スピーカー、ディスプレイデバイス、または統合充電チャネルを有する様々な携帯用電気デバイスのいずれかとして実施され得る。本明細書で論じられる概念は本明細書で論じられるようなオンボードコントローラ１７を含むことにより様々な携帯用電気デバイス１０のいずれかを備えて実施されてもよく、別個の電気デバイス５０が充電チャネルと電気的に接続している間に携帯用電気デバイス１０の出力デバイスに提供される出力電力を制限する（したがって出力デバイスにより生成される出力電力レベルを制限する）ように構成されてもよい。他の非制限的な例は、別個の電気デバイス５０がスピーカーの充電チャネルと接続している間はスピーカーの最大ボリュームを減少させてもよく、別個の電気デバイス５０がファンの充電チャネルと接続している間はファンの最大回転速度を減少させてもよく、別個の電気デバイス５０がディスプレイデバイスの充電チャネルと接続している間は最大ディスプレイ輝度を減少させてもよい、等である。
【００３６】
さらに、複数の充電チャネル（例えば、複数の充電ポート２０）を備える実施形態では、オンボードコントローラ１７は複数の充電チャネルの各々を監視してもよく、接続された電気デバイス５０の数に基づいて出力デバイス（例えば、照明デバイス）の出力を調整してもよい。例えば、オンボードコントローラ１７は一つの電気デバイス５０のみが接続されている間は輝度を第一の調光された輝度レベルに調整するように構成されてもよく、二つの電気デバイス５０が接続されている間は輝度を第二の調光された輝度レベルに調整してもよい。同様に、オンボードコントローラ１７は接続された電気デバイス５０の各々からの電流引き込みを監視するように構成されてもよく、少なくとも一つの充電チャネルにかかる電流引き込みの量に基づいて調光された輝度レベルを調整してもよい。例えば、照明デバイスが調光される量は充電チャネルにかかる電流引き込みの増加に伴って（例えば、部分的に、または別個の調光された輝度レベルの間で段階的に）増加してもよい。
【図１】
2021520030.tif 000003
【図２】
2021520030.tif 000004
【図３】
2021520030.tif 000005
【国際調査報告】
2021520030.tif 000006
2021520030.tif 000007
2021520030.tif 000008